(57)【要約】      （修正有）【課題】操作性を向上させることができる操作入力装置を提供する。【解決手段】上面１１に開口１２が形成された本体１０と、開口１２から操作面２０が露出するように本体１０に配置され、指による操作面２０になされた操作を検出するタッチパネル２と、本体１０とタッチパネル２との相対的な移動を支持する支持部３と、操作面２０の反対側の裏面２１から突出して設けられたコンタクト４と、支持部３に支持されながらのタッチパネル２の移動に伴ってコンタクト４と接触してオン状態となるスイッチ部５と、本体１０とタッチパネル２とを相対移動させてスイッチ部５をオン状態とする操作に基づいて、操作対象に対して予め定められた処理を行わせる制御信号を出力する制御部と、を備えている。【選択図】図２
2014067118.tif 000002
【特許請求の範囲】
【請求項１】
上面に開口が形成された本体と、
前記開口から操作面が露出するように前記本体に配置され、検出対象物による前記操作面になされた操作を検出する検出部と、
前記本体と前記検出部との相対的な移動を可能に支持する支持部と、
前記操作面の反対側の裏面から突出して設けられた突出部と、
前記支持部に支持されながらの前記検出部の移動に伴って前記突出部と接触してオン状態となるスイッチ部と、
前記本体と前記検出部とを相対移動させて前記スイッチ部をオン状態とする操作に基づいて、操作対象に対して予め定められた処理を行わせる制御信号を出力する制御部と、
を備えた操作入力装置。
【請求項２】
前記スイッチ部は、前記突出部を挟んで第1のスイッチと第２のスイッチ、及び第３のスイッチと第４のスイッチが対向して配置される請求項１に記載の操作入力装置。
【請求項３】
前記スイッチ部は、前記支持部に取り付けられる請求項１又は２に記載の操作入力装置。
【請求項４】
前記本体と前記検出部の間に設けられ、前記検出部を初期位置に戻す力を生成する力生成部を備えた請求項１乃至３の何れか１項に記載の操作入力装置。
【発明の詳細な説明】
【技術分野】
【０００１】
本発明は、操作入力装置に関する。
【背景技術】
【０００２】
従来の技術として、操作者の手元に設置され操作指により操作入力可能な絶対座標方式のタッチパッドと、タッチパッドよりも比較的遠方に設置されたディスプレイと、を備えた自動車用入出力装置が知られている（例えば、特許文献１参照。）。
【０００３】
この自動車用入出力装置は、タッチパッドと操作指との距離に応じてディスプレイに表示されるカーソルの濃淡、大きさ、及び形状のうち少なくとも何れか一つを変化させるとともに、タッチパッドに操作入力された絶対座標情報に基づいて、ディスプレイのカーソルを絶対座標情報に対応する位置に表示するので、操作者の視線や操作指の移動量を低減することができる。
【先行技術文献】
【特許文献】
【０００４】
【特許文献１】特開２０１０−６１２２４号公報
【発明の概要】
【発明が解決しようとする課題】
【０００５】
しかし、従来の自動車用入出力装置のタッチパッドは、絶対座標方式であるため、ディスプレイに表示されたアイコンを選択する際、このアイコンが小さいと操作指の移動量を小さくしなければならず、操作性が良くない問題がある。
【０００６】
従って、本発明の目的は、操作性を向上させることができる操作入力装置を提供することにある。
【課題を解決するための手段】
【０００７】
本発明の一態様は、上面に開口が形成された本体と、開口から操作面が露出するように本体に配置され、検出対象物による操作面になされた操作を検出する検出部と、本体と検出部との相対的な移動を支持する支持部と、操作面の反対側の裏面から突出して設けられた突出部と、支持部に支持されながらの検出部の移動に伴って突出部と接触してオン状態となるスイッチ部と、本体と検出部とを相対移動させてスイッチ部をオン状態とする操作に基づいて、操作対象に対して予め定められた処理を行わせる制御信号を出力する制御部と、を備えた操作入力装置を提供する。
【発明の効果】
【０００８】
本発明によれば、操作性を向上させることができる。
【図面の簡単な説明】
【０００９】
【図１】図１（ａ）は、実施の形態に係る操作入力装置が搭載された車両内部の概略図であり、（ｂ）は、操作入力装置のブロック図である。
【図２】図２（ａ）は、実施の形態に係る操作入力装置の上面図であり、（ｂ）は、図２（ａ）のII（ｂ）-II（ｂ）線で切断した断面を矢印の方向から見た断面図であり、（ｃ）は、スイッチのボタンに付加される荷重とボタンのストロークの関係を示すグラフである。
【図３】図３（ａ）及び（ｂ）は、実施の形態に係る操作入力装置の絶対座標系における動作を説明するための概略図である。
【図４】図４（ａ）及び（ｂ）は、実施の形態に係る操作入力装置の動作を説明するための概略図である。
【図５】図５（ａ）及び（ｂ）は、実施の形態に係る操作入力装置の動作を説明するための概略図である。
【図６】図６（ａ）及び（ｂ）は、実施の形態に係る操作入力装置の動作を説明するための概略図である。
【発明を実施するための形態】
【００１０】
（実施の形態の要約）
実施の形態に係る操作入力装置は、上面に開口が形成された本体と、開口から操作面が露出するように本体に配置され、検出対象物による操作面になされた操作を検出する検出部と、本体と検出部との相対的な移動を支持する支持部と、操作面の反対側の裏面から突出して設けられた突出部と、支持部に支持されながらの検出部の移動に伴って突出部と接触してオン状態となるスイッチ部と、本体と検出部とを相対移動させてスイッチ部をオン状態とする操作に基づいて、操作対象に対して予め定められた処理を行わせる制御信号を出力する制御部と、を備える。
【００１１】
[実施の形態]
（操作入力装置１の構成）
図１（ａ）は、実施の形態に係る操作入力装置が搭載された車両内部の概略図であり、（ｂ）は、操作入力装置のブロック図である。図２（ａ）は、実施の形態に係る操作入力装置の上面図であり、（ｂ）は、図２（ａ）のII（ｂ）-II（ｂ）線で切断した断面を矢印の方向から見た断面図であり、（ｃ）は、スイッチのボタンに付加される荷重とボタンのストロークの関係を示すグラフである。図３（ａ）及び（ｂ）は、実施の形態に係る操作入力装置の絶対座標系における動作を説明するための概略図である。この図３（ａ）及び（ｂ）は、左側には、表示装置８２の表示画面８３が示され、右側には、操作入力装置１の操作面２０が示されている。なお、実施の形態に係る各図において、描かれた画像と画像の比率は、実際の比率とは異なる場合がある。
【００１２】
操作入力装置１は、図１（ａ）に示すように、車両８の運転席と助手席との間にのびるフロアコンソール８ａに配置されている。
【００１３】
操作入力装置１は、例えば、電気的に接続された電子機器の操作、及び文字の入力等を行うことができるように構成されている。この操作入力装置１は、例えば、検出対象物である、導電性を有するペンや指による操作により、電子機器に電気的に接続され、車両８のセンターコンソール８ｂに配置された表示装置８２に表示されたカーソルの移動やアイコンの選択、アイコンのドラッグ、ドロップ等の操作を行うことができるように構成されている。本実施の形態では、一例として、検出対象物としての指による操作について説明する。
【００１４】
この操作入力装置は、図１（ｂ）、図２（ａ）及び（ｂ）に示すように、上面１１に開口１２が形成された本体１０と、開口１２から操作面２０が露出するように本体１０に配置され、指による操作面２０になされた操作を検出する検出部としてのタッチパネル２と、本体１０とタッチパネル２との相対的な移動を支持する支持部３と、操作面２０の反対側の裏面２１から突出して設けられた突出部としてのコンタクト４と、支持部３に支持されながらのタッチパネル２の移動に伴ってコンタクト４と接触してオン状態となるスイッチ部５と、本体１０とタッチパネル２とを相対移動させてスイッチ部５をオン状態とする操作に基づいて、操作対象に対して予め定められた処理を行わせる制御信号を出力する制御部６と、を備えて概略構成されている。
【００１５】
この操作対象とは、一例として、表示装置８２の表示画面８３に表示されたカーソルや選択可能なアイコン等である。
【００１６】
予め定められた処理とは、例えば、選択や移動等の微調整を実行させる処理である。具体的には、予め定められた処理とは、一例として、操作対象がアイコンである場合、選択されたアイコンに隣接する選択可能なアイコンを選択状態とする処理である。なお、選択可能なアイコンは、スイッチ部５をオン状態とする際になされた操作の方向に位置するアイコンである。また予め定められた処理とは、一例として、操作対象がカーソルである場合、なされた操作の方向に応じて、予め定められた距離だけ移動させる処理である。また予め定められた処理とは、一例として、操作対象がカーソルである場合、なされた操作の方向に応じて、最も近い選択可能なアイコンに移動させる処理である。さらに予め定められた処理とは、一例として、操作対象が表示装置８２の表示画面に表示された表示画像である場合、なされた操作の方向に応じて、ページを送ったり戻したりする等の表示画像を切り替える処理である。
【００１７】
また操作入力装置１は、本体１０とタッチパネル２の間に設けられ、タッチパネル２を初期位置に戻す力を生成する力生成部７を備えて概略構成されている。なお初期位置とは、例えば、タッチパネル２の中央と、開口１２の中央と、が一致する位置である。
【００１８】
この操作入力装置１は、例えば、スイッチ部５をオン状態とすることにより、現在選択されているアイコンに隣接するアイコンを選択状態としたり、カーソルを予め定められた距離移動させたりといった、選択や移動等の微調整を行うことが可能となるように構成されている。
【００１９】
なお、このアイコンとは、例えば、表示画面８３上に、各種のデータや処理機能を絵又は文字として表示し、これが選択決定されることで、割り当てられたコマンドを処理させるものである。この選択とは、例えば、カーソルをアイコンに重ね、選択状態とすることである。また決定とは、例えば、選択されたアイコンを短い間隔で二回タッチ（ダブルタップ）することにより、そのアイコンに割り当てられたコマンドの処理を実行させることである。
【００２０】
（本体１０の構成）
本体１０は、図２（ａ）及び（ｂ）に示すように、内部が空洞で、その上面１１に開口１２を有する構造を備えて概略構成されている。この開口１２は、矩形状を有している。また開口１２は、一例として、表示画面８３のアスペクト比と同じアスペクト比となるように構成されている。
【００２１】
この本体１０の内部の底面には、基板１３が配置されている。この基板１３は、プリント配線基板である。また基板１３上には、一例として、支持部３が配置されている。この基板１３には、例えば、制御部６等が配置されている。
【００２２】
また本体１０の内壁１００には、図２（ｂ）に示すように、内壁１００の上部から垂直方向に突出するようにガイド１０１が設けられている。このガイド１０１は、タッチパネル２の移動を案内するように構成されている。
【００２３】
（タッチパネル２の構成）
タッチパネル２は、例えば、操作者が指で操作面２０に触れることにより、触れた操作面２０上の位置（検出点）を検出するタッチセンサである。操作者は、例えば、操作面２０に操作を行うことにより、接続された電子機器の操作を行うことが可能となる。タッチパネル２としては、例えば、周知の抵抗膜方式、赤外線方式、ＳＡＷ（Surface Acoustic Wave）方式、静電容量方式等のタッチパネルを用いることが可能である。
【００２４】
本実施の形態に係るタッチパネル２は、一例として、操作面２０に指が近づくことによる、センサワイヤと指との距離に反比例した電流の変化を検出する静電容量方式のタッチパネルである。タッチパネル２は、図１（ｂ）に示すように、制御部６と電気的に接続され、検出信号を出力するように構成されている。
【００２５】
このタッチパネル２は、図２（ａ）及び（ｂ）に示すように、操作面２０が開口１２よりも大きくなるように構成されている。これは、例えば、タッチパネル２が移動した際に、開口１２から本体１０の底部が露出しないようにするためである。
【００２６】
（支持部３の構成）
支持部３は、例えば、図１（ａ）及び（ｂ）に示すように、四角筒形状を有している。この支持部３の上面３１は、タッチパネル２の裏面２１に接触している。この上面３１とタッチパネル２との間には、一例として、摩擦を低減するグリス等が塗布されても良い。また支持部３は、上面３１にローラ等の摩擦を低減する機械要素が配置されていても良い。この支持部３の内壁３０には、スイッチ部５が配置されている。
【００２７】
（コンタクト４の構成）
コンタクト４は、タッチパネル２の裏面２１の中央に取り付けられている。このコンタクト４は、四角柱形状を有している。このコンタクト４は、タッチパネル２が、図２（ａ）及び（ｂ）に示す初期位置にある際、スイッチ部５を構成する後述する第１のスイッチ５１〜第４のスイッチ５４とは接触しないように配置されている。
【００２８】
このコンタクト４は、本体１０に対するタッチパネル２の移動に伴って操作方向に移動し、スイッチ部５と接触するように構成されている。
【００２９】
（スイッチ部５の構成）
スイッチ部５は、図１（ｂ）、図２（ａ）及び（ｂ）に示すように、第１のスイッチ５１〜第４のスイッチ５４を備えて概略構成されている。このスイッチ部５は、コンタクト４を挟んで第1のスイッチ５１と第２のスイッチ５２、及び第３のスイッチ５３と第４のスイッチ５４が対向して配置されている。
【００３０】
第１のスイッチ５１〜第４のスイッチ５４は、それぞれのボタン５１ａ〜ボタン５４ａが本体から突出するように設けられており、このボタンが押されることにより、オン状態となるように構成されている。また第１のスイッチ５１〜第４のスイッチ５４は、ボタン５１ａ〜ボタン５４ａが、コンタクト４とクリアランスが取れるように配置されている。このクリアランスは、一例として、０．５ｍｍである。なおスイッチ５１〜スイッチ５４は、プリロードをかけ、それぞれのボタンがコンタクト４と接触するように配置されても良い。
【００３１】
第１のスイッチ５１〜第４のスイッチ５４は、操作者が意図しないタッチパネル２の移動に伴ってオン状態にならない、つまり、ボタンが押し込まれないように構成されている。このボタンが押し込まれる際の初期荷重Ｆ０は、なぞり操作中の指が操作面２０に与える力の法線方向の成分Ｆｚと、静止摩擦係数μと、を用いて以下の式で表される。
Ｆ０＝μ×Ｆｚ・・・（１）
なお初期荷重Ｆ０は、本体１０とタッチパネル２との間に設けられた弾性体の弾性力を含むものである。
【００３２】
ここで、タッチパネル２が、例えば、図２（ａ）の紙面右側に移動した場合、コンタクト４が移動して第１のスイッチ５１のボタン５１ａに接触する。このボタン５１ａは、図２（ｃ）に示すように、コンタクト４を介して受けた荷重がＦ０以上になると押し込まれる。また第１のスイッチ５１は、ストロークＳ１以上にボタン５１ａが押し込まれるためには、最大荷重Ｆｐが必要となるように構成されている。第１のスイッチ５１は、ボタン５１ａがストロークＳ１よりも押し込まれると、押し込みに必要な荷重が、ストロークＳ２における荷重Ｆｂまで徐々に小さくなり、このストロークＳ２においてオン状態となって第１の信号が出力される。よって主に、最大荷重Ｆｐによって、スイッチのクリック感が生成される。従って操作者は、スイッチ部５のスイッチをオン状態にするためには、ストロークがＳ２で、さらに少なくとも最大荷重Ｆｐ以上の荷重を、タッチパネル２及びコンタクト４を介してスイッチに与える必要がある。なお、ストロークＳ１は、一例として、０．５ｍｍである。ストロークＳ２は、一例として、１．０ｍｍである。
【００３３】
第１のスイッチ５１〜第４のスイッチ５４は、図１（ｂ）に示すように、制御部６と電気的に接続されている。第１のスイッチ５１は、制御部６に第１の信号を出力するように構成されている。第２のスイッチ５２は、制御部６に第２の信号を出力するように構成されている。第３のスイッチ５３は、制御部６に第３の信号を出力するように構成されている。第４のスイッチ５４は、制御部６に第４の信号を出力するように構成されている。
【００３４】
なお、第１のスイッチ５１〜第４のスイッチ５４は、それぞれのボタンが押し込まれることによりオン状態となる機械式スイッチであるがこれに限定されず、非接触式のスイッチであっても良い。非接触式のスイッチの場合、上記の荷重は、例えば、弾性体の荷重により形成され、荷重とストロークの関係は直線的なものとなる。
【００３５】
（制御部６の構成）
制御部６は、例えば、記憶されたプログラムに従って、取得したデータに演算、加工等を行うＣＰＵ（Central Processing Unit）、半導体メモリであるＲＡＭ（Random Access Memory）及びＲＯＭ（Read Only Memory）等から構成されるマイクロコンピュータである。このＲＯＭには、例えば、制御部６が動作するためのプログラムが格納されている。ＲＡＭは、例えば、一時的に演算結果等を格納する記憶領域として用いられる。また制御部６は、その内部にクロック信号を生成する手段を有し、このクロック信号に基づいて動作を行う。
【００３６】
また制御部６は、図１（ｂ）に示すように、しきい値６０と、画像情報６１と、を備えている。制御部６は、タッチパネル２から取得した検出信号としきい値６０とを比較することで、検出点の有無、つまり操作の有無を判定する。制御部６は、検出点の座標を算出するように構成されている。
【００３７】
制御部６は、例えば、なぞり操作が行われた場合、指の移動量に応じて表示画面８３に表示されたカーソルを移動させたり、移動量に応じた距離にあるアイコンを選択状態にしたりすることを可能にする制御信号を出力するように構成されている。
【００３８】
制御部６は、画像情報６１を有している。この画像情報６１は、例えば、操作入力装置１が接続された電子機器から取得したものである。画像情報６１は、電子機器が接続された表示装置８２の表示画面８３に表示される表示画像８４の情報である。また画像情報６１は、表示画像８４を構成するアイコン等の情報を含んでいる。制御部６は、検出信号から得られる検出点の座標と、画像情報６１と、を比較することにより、アイコンの選択等を判断する。
【００３９】
また制御部６は、操作面２０に対する指の操作速度が予め定められた速度未満である場合にスイッチ部５がオン状態となると、スイッチ部５を優先し、操作面２０に対する操作を無視するように構成されている。予め定められた速度は、例えば、しきい値６０に含まれている。
【００４０】
さらに制御部６は、スイッチ部５がオン状態となった後の指が、タッチパネル２が初期位置に戻るまでの間に予め定められた距離以上移動した場合は、スイッチ部５がオン状態となっても、選択や移動等の微調整を行わないように構成されている。予め定められた距離は、例えば、しきい値６０に含まれている。
【００４１】
（力生成部７の構成）
力生成部７は、図２（ａ）及び（ｂ）に示すように、弾性体７０〜弾性体７７を備えて概略構成されている。この弾性体７０〜弾性体７７は、例えば、細い金属線を螺旋状に形成したばねである。なお力生成部７は、ばねに限定されず、板ばねやアクチュエータ等のように収縮と伸長を行いながら力をタッチパネル２に付加することが可能な機械要素であれば良い。
【００４２】
弾性体７０及び弾性体７１は、タッチパネル２の第１の側面部２０１側に配置されている。この第１の側面部２０１は、タッチパネル２の長手方向の一方の辺に対応する側面部である。この弾性体７０及び弾性体７１は、第３のスイッチ５３がオンされる際に収縮する。
【００４３】
弾性体７２及び弾性体７３は、タッチパネル２の第２の側面部２０２側に配置されている。この第２の側面部２０２は、タッチパネル２の短手方向の一方の辺に対応する側面部である。この弾性体７２及び弾性体７３は、第１のスイッチ５１がオンされる際に収縮する。
【００４４】
弾性体７４及び弾性体７５は、タッチパネル２の第３の側面部２０３側に配置されている。この第３の側面部２０３は、タッチパネル２の長手方向の他方の辺に対応する側面部である。この弾性体７４及び弾性体７５は、第４のスイッチ５４がオンされる際に収縮する。
【００４５】
弾性体７６及び弾性体７７は、タッチパネル２の第４の側面部２０４側に配置されている。この第４の側面部２０４は、タッチパネル２の短手方向の他方の辺に対応する側面部である。この弾性体７６及び弾性体７７は、第２のスイッチ５２がオンされる際に収縮する。
【００４６】
以下に、本実施の形態に係る操作入力装置１の動作について、各図を参照しながら説明する。なお、以下では、いずれの場合も、指の操作速度が予め定められた速度以上で、かつ、指の移動距離が予め定められた距離より短い条件を満たすものとする。
【００４７】
（動作）
まず、操作入力装置１が、絶対座標系に設定されている場合について説明する。
【００４８】
制御部６は、予め定められた周期によってタッチパネル２から検出信号を取得し、当該検出信号としきい値６０とを比較して操作の検出の有無を判定する。図３（ａ）に示すように、操作者が操作面２０に接触した場合、制御部６は、検出点の座標を算出する。
【００４９】
制御部６は、図３（ａ）に示すように、算出された座標と、画像情報６１と、に基づいて検出点が「め」のアイコン８５上に有ると判定し、「め」のアイコン８５を選択状態とする制御信号を生成して接続された電子機器に出力する。電子機器は、取得した制御信号に基づいて「め」のアイコン８５が選択状態となる表示画像８４を表示装置８２に表示させる。
【００５０】
次に、操作者は、所望の文字を選択するためになぞり操作を行う。制御部６は、周期に基づいて検出信号を取得し、なぞり操作に伴って検出される検出点が通過するアイコンを選択状態とする制御信号を生成して順次電子機器に出力する。
【００５１】
図３（ｂ）に示すように、操作者が所望の文字の位置で指９を止める。制御部６は、周期に基づいて検出信号を取得し、指９が停止した位置の座標を算出する。制御部６は、図３（ｂ）に示すように、算出された座標と、画像情報６１と、に基づいて検出点が「す」のアイコン８６上に有ると判定し、「す」のアイコン８６を選択状態とする制御信号を生成して接続された電子機器に出力する。電子機器は、取得した制御信号に基づいて「す」のアイコン８６が選択状態となる表示画像８４を表示装置８２に表示させる。
【００５２】
上記に示した絶対座標系の操作の場合、操作面２０に触れた点に対応する表示画面８３上の座標が検出点の座標とされる。従って当該座標にアイコンがある場合は、当該アイコンが選択状態とされ、カーソルの場合は、カーソルが当該座標まで移動する。また、その点を始点としてなぞり操作が行われた場合は、周期に従って取得した検出信号から算出される検出点の座標に応じて選択状態のアイコンが切り替わり、カーソルの場合は、算出される検出点の座標に応じて移動する。
【００５３】
ここで、操作者が、例えば、図３（ａ）に示すように、表示画面８３に表示される５０音の中から文字を選択する際、操作面２０の大きさによっては、所望の文字の選択が困難な場合がある。特に、座標系が絶対座標系である場合、操作者は、所望の文字に対応する操作面２０の小さな領域に操作を行わなければならない。そこで以下では、所望の文字の選択を容易とする操作入力装置１の操作の一例を説明する。
【００５４】
図４（ａ）及び（ｂ）は、実施の形態に係る操作入力装置の動作を説明するための概略図である。この図４（ａ）及び（ｂ）は、左側には、表示装置８２の表示画面８３が示され、右側には、操作入力装置１の操作面２０が示されている。また図４（ｂ）では、タッチパネル２及び指９の移動を点線により示している。
【００５５】
制御部６は、予め定められた周期によってタッチパネル２から検出信号を取得し、当該検出信号としきい値６０とを比較して操作の検出の有無を判定する。図４（ａ）に示すように、操作者が操作面２０に接触した場合、制御部６は、検出点の座標を算出する。
【００５６】
制御部６は、図４（ａ）に示すように、算出された座標と、画像情報６１と、に基づいて検出点が「め」のアイコン８５上に有ると判定し、「め」のアイコン８５を選択状態とする制御信号を生成して接続された電子機器に出力する。電子機器は、取得した制御信号に基づいて「め」のアイコン８５が選択状態となる表示画像８４を表示装置８２に表示させる。
【００５７】
操作者は、例えば、所望の文字が「む」である場合、「む」のアイコン８７を選択するため、操作入力装置１の本体１０に対してタッチパネル２を図４（ｂ）の紙面上方向に移動させる。
【００５８】
このタッチパネル２の移動に伴ってコンタクト４が移動し、図２（ａ）の紙面上側の第３のスイッチ５３がオン状態となって制御部６に第３の信号を出力する。
【００５９】
制御部６は、第３のスイッチ５３から取得した第３の信号に基づいて予め定められた処理としてアイコンの選択の微調整を行う。なお、アイコンの選択の微調整のための操作は、第１のスイッチ５１〜第４のスイッチ５４の何れかがオン状態なるように行われれば良い。
【００６０】
制御部６は、アイコンの選択の微調整を行うため、第３のスイッチ５３の位置に基づいて、「め」のアイコン８５に隣接する「む」のアイコン８７を選択状態とするための制御信号を生成し、電子機器に出力する。
【００６１】
電子機器は、取得した制御信号に基づいて「む」のアイコン８７が選択状態となる表示画像８４を表示装置８２に表示させる。なお、「む」の左上に位置する「よ」を選択する場合は、例えば、タッチパネル２を「よ」の方向に移動させれば良い。つまり、制御部６は、オン状態となるスイッチ部５に基づいて、現在選択されている画像に隣接する画像を選択状態とする。
【００６２】
操作者が指９の移動を停止した後、主に、弾性体７０及び弾性体７１の収縮による弾性力と、弾性体７５及び弾性体７４の伸長による復元力と、に基づいてタッチパネル２が初期位置に復帰する。
【００６３】
続いて、以下では、メニュー画像８４ａから所望のメニューのアイコンを選択する動作について説明する。
【００６４】
図５（ａ）及び（ｂ）は、実施の形態に係る操作入力装置の動作を説明するための概略図である。この図５（ａ）及び（ｂ）は、左側には、表示装置８２の表示画面８３が示され、右側には、操作入力装置１の操作面２０が示されている。
【００６５】
表示画面８３には、図５（ａ）及び（ｂ）に示すように、「Ａ」〜「Ｋ」までのメニューを有するメニュー画像８４ａが表示されている。
【００６６】
操作者が、図５（ａ）に示すように、「Ｈ」のアイコン８９を選択するつもりで操作面２０に、指９により操作を行ったところ、「Ｇ」のアイコン８８が選択されたとする。
【００６７】
操作者は、「Ｈ」のアイコン８９を選択するため、操作入力装置１の本体１０に対してタッチパネル２を図５（ｂ）の紙面下方向に移動させる。
【００６８】
このタッチパネル２の移動に伴ってコンタクト４が移動し、図２（ａ）の紙面下側の第４のスイッチ５４がオン状態となって制御部６に第４の信号を出力する。
【００６９】
制御部６は、第４のスイッチ５４から取得した第４の信号に基づいて予め定められた処理としてアイコンの選択の微調整を行う。
【００７０】
制御部６は、アイコンの選択の微調整を行うため、第４のスイッチ５４の位置に基づいて、「Ｇ」のアイコン８８に隣接する「Ｈ」のアイコン８９を選択状態とするための制御信号を生成し、電子機器に出力する。
【００７１】
表示装置８２は、この制御信号に基づいて図５（ｂ）に示すように、「Ｈ」を選択状態とするメニュー画像８４ａを表示する。
【００７２】
操作者が指９の移動を停止した後、主に、弾性体７４及び弾性体７５の収縮による弾性力と、弾性体７０及び弾性体７１の伸長による復元力と、に基づいてタッチパネル２が初期位置に復帰する。
【００７３】
続いて、以下では、地図画像８３０から目的地を選択する動作について説明する。
【００７４】
図６（ａ）及び（ｂ）は、実施の形態に係る操作入力装置の動作を説明するための概略図である。この図６（ａ）及び（ｂ）は、左側には、表示装置８２の表示画面８３が示され、右側には、操作入力装置１の操作面２０が示されている。
【００７５】
表示画面８３には、図６（ａ）及び（ｂ）に示すように、地図画像８３０が表示されている。
【００７６】
操作者が、図６（ａ）に示すように、カーソル８３１により、地図画像８３０に表示された「△△ビル」のアイコン８３３を選択するつもりで操作面２０に、指９により操作を行ったところ、「○×ビル」のアイコン８３２が選択されたとする。
【００７７】
操作者は、「△△ビル」のアイコン８３３を選択するため、操作入力装置１の本体１０に対してタッチパネル２を図６（ｂ）の紙面左方向に移動させる。
【００７８】
このタッチパネル２の移動に伴ってコンタクト４が移動し、図２（ａ）の紙面左側の第２のスイッチ５２がオン状態となって制御部６に第２の信号を出力する。
【００７９】
制御部６は、第２のスイッチ５２から取得した第２の信号に基づいて予め定められた処理としてアイコンの選択の微調整を行う。
【００８０】
制御部６は、検出信号及び画像情報６１に基づいて「○×ビル」よりも左にある「△△ビル」が選択されるように電子機器を制御する制御信号を生成して出力する。表示装置８２は、この制御信号に基づいて図６（ｂ）に示すように、「△△ビル」を選択状態とする地図画像８３０を表示する。
【００８１】
操作者が指９の移動を停止した後、主に、弾性体７６及び弾性体７７の収縮による弾性力と、弾性体７２及び弾性体７３の伸長による復元力と、に基づいてタッチパネル２が初期位置に復帰する。
【００８２】
（実施の形態の効果）
本実施の形態に係る操作入力装置１は、操作性を向上させることができる。具体的には、操作入力装置１は、操作者が、絶対座標系では、所望の画像の選択が困難な場合、タッチパネル２を移動させて第１のスイッチ５１〜第４のスイッチ５４の何れかをオン状態とすることにより、画像の選択等の微調整が容易にできる。
【００８３】
また操作入力装置１は、操作者が、所望の画像の方向に複数回、タッチパネル２を移動させることで、選択された画像から離れた画像を選択状態とすることができ、操作性が高い。
【００８４】
以上、本発明の実施の形態を説明したが、この実施の形態は、一例に過ぎず、特許請求の範囲に係る発明を限定するものではない。この新規な実施の形態は、その他の様々な形態で実施されることが可能であり、本発明の要旨を逸脱しない範囲で、種々の省略、置き換え、変更等を行うことができる。また、この実施の形態の中で説明した特徴の組合せの全てが発明の課題を解決するための手段に必須であるとは限らない。さらに、この実施の形態は、発明の範囲及び要旨に含まれるとともに、特許請求の範囲に記載された発明とその均等の範囲に含まれる。
【符号の説明】
【００８５】
１…操作入力装置
２…タッチパネル
３…支持部
４…コンタクト
５…スイッチ部
６…制御部
７…力生成部
８…車両
８ａ…フロアコンソール
８ｂ…センターコンソール
９…指
１０…本体
１１…上面
１２…開口
１３…基板
２０…操作面
２１…裏面
３０…内壁
３１…上面
５１〜５４…第１のスイッチ〜第４のスイッチ
５１ａ〜５４ａ…ボタン
６０…しきい値
６１…画像情報
７０〜７７…弾性体
８２…表示装置
８３…表示画面
８４…表示画像
８４ａ…メニュー画像
８５，８６，８７，８８，８９，８３２，８３３…アイコン
１００…内壁
１０１…ガイド
２０１〜２０４…第１の側面部〜第４の側面部
８３０…地図画像
８３１…カーソル
【図１】
2014067118.tif 000003
【図２】
2014067118.tif 000004
【図３】
2014067118.tif 000005
【図４】
2014067118.tif 000006
【図５】
2014067118.tif 000007
【図６】
2014067118.tif 000008